(57)【要約】      （修正有）【課題】愛車のフロント部ボンネットの上や、後部トランクの上等に、ネコ等が飛び乗り、塗装やガラスコーティング仕様等を、傷だらけにする事を防止できる愛車保護ネットを提供する。【解決手段】ネコ等が網等に爪が引っ掛かったり、絡む事を嫌う習性から鑑み、細いナイロン糸や、綿製糸等を組み合わせて格子状に編んだネットに、ふわふわロープ４、４ａやスポンジ玉５を取りつけて不規則な膨らみや、ふわふわ感を創出して製作したネット１を、車のボンネット上や、後部トランク上から覆い装着する事で、ネコの鋭い爪が引き起こす不快感と多大な被害を、未然に防ぐ。【選択図】図２
0003229119.tif 000002
【実用新案登録請求の範囲】
【請求項１】
自動車のボンネットの上や後部トランクの上に格子状に編まれたネットに部分的に折り曲げ、重ね合わせ、絞り等を加える等の不規則な膨らみ等で、ふわふわ感を設けること等で構成されていることを特徴とした、ネコの自動車飛び乗り傷を防止するふわふわ愛車保護ネット。
【請求項２】
上記のふわふわネットには、布製又はそれに類する表面の柔らかいロープを、不規則にネットの下側（車との接触面）に縦、横に数ヶ所に通し、同様に数ヶ所に布玉や、スポンジ玉を取り付けていること等で構成されていることを特徴とした、ネコの自動車飛び乗り傷を防止するふわふわ愛車保護ネット。
【請求項３】
上記のふわふわネットに、自動車に装着固定するための布紐、又は布ゴム部所を設けること等で構成されていることを特徴とした、ネコの自動車飛び乗り傷を防止するふわふわ愛車保護ネット。
【考案の詳細な説明】
【技術分野】
【０００１】  本考案は、愛車のボンネット上や後部トランク上に、格子状に編まれたネットを加工、創出して製作した、ふわふわネットを装着することに関するものである。
【背景技術】
【０００２】  自動車カバーを購入して全体をすっぽり被せる。又、車のボンネット上に毛布等を敷く。ネコ等の忌避剤を散布する。
ネコの天敵であるカラスの模造品を近くにぶら下げる。等々、苦肉の策の対応をしてきた。又、超音波の機器を購入して撃退することを試みる等、模索してきた。
【先行技術文献】
【特許文献】
【０００３】
【特許文献１】特開平１１−２０８２８６
【実用新案文献】
【０００４】
【実用新案文献１】
実用新案登録  第３１０２５６６号
【非特許文献】
【０００５】
【非特許文献１】社名不詳「キャットセイバー自動車猫よけ装置」
【考案の概要】
【考案が解決しようとする課題】
【０００６】  従来技術の問題点を列挙するなら、特許文献１については、車に飛び乗ることを前提とした対応策であり、ネコ等は飛び乗った場所に居続けるものではない。上がりやすいところから飛び乗り、ネコが求める場所に移動することの配慮に欠けるものである。
実用新案文献１については「ニオイ」等の忌避剤自体の効果が弱く、持続性は一定ではない上に短い。一般市販の忌避剤は、誰もが一度は頼るのであるが、効果を上げていないのが実情である。雨や風によっても左右され、一層実効性は薄いのである。
又、超音波によるネコの撃退という機器商品もあるが、周りの騒音等に影響を受けるものであることや、最も肝心な点は、持続性の問題である。ネコも賢い動物であり、順応性が高い。慣れてしまう事については否めないことと、商品説明で記してある。その上、これら既存の技術による商品は高価である。あるいは持続するためには、高い経費と手間をかけなければならないのである。費用対効果を考えた時、低いと言わざるを得ないのである。特にネコは年中、昼夜を問わず居心地の良い場所を求めて行動し、居座っていることを忘れてはならないのである。
【課題を解決するための手段】
【０００７】  本考案は、鋭い爪を有しているネコ等を、車の上に上げさせない、飛び乗らせない事に主眼に置いたものである。
故に、１ｃｍ〜２ｃｍ程度の間隔で格子状に編んだネット（公知のもの）を、部分的に折り曲げたり、重ね、絞り等を加えて不規則な膨らみ、ふわふわ感を創出したふわふわネットを愛車のボンネット上や、後部トランクの上に装着する事にある。
特にネコは、寒い時はエンジン熱の残るボンネットの上に上がりたがる。暑い時には日陰に駐車した車の上に、又、夜はひんやりとした自動車の上に上がりたがる。その上がる場所は前述のボンネット部分か、後部トランク部分の地面に近い方から飛び乗るのである。
その際、ネコは鋭い爪を立てて、自動車から滑り落ちないように身の安定を図る。こうした行動で、愛車の塗装やガラスコーティング加工が傷だらけになる事は言うまでもない。
通常ネコ等はネットに対して爪が引っ掛かる事を嫌い、飛び乗ろうとはしないのであるが、ネットが車に絶えず密着状態である場合、その状態をしばらくの期間観察する。そしてネコは爪に引っ掛からないと判断すれば、やはり飛び乗ってしまうのである。しかしネットが膨らんだり、ボンネットからふわふわ浮いたりしていると、ネコは一層危険を感じて近づかないのである。
故に、ネコが身の危険を察知して、近づかない習性を利用する方法が最も望まれるところである。【０００８】  本考案は、前述のネットに市販の布製のロープを縦、横に数ヶ所挿入し又、絞り、交差させたり、布玉やスポンジ玉（公知のもの）を取り付けたりする事で、不規則な膨らみや、ふわふわ感を増大させる事にある。【０００９】  本考案の上述のふわふわネットはナイロン製の糸や、綿糸等でネットを製作し用いるが、クリア色（釣り糸のような透明なもの）ではなく、よく目立つ白色ネットにする事にある。（市販のもので良い）
ネコ等をクリア色でネットに引っ掛からせるのではなく、より目立つ白で認識させ、引っ掛からせないように、飛び乗りを止めさせるためである。【００１０】  本考案は、格子状に編まれたネットは、公知の数本の細いナイロン糸や綿糸等が束ねられて一筋の糸を形成し編まれたもので、強度が強く数本が束ねられた糸は、ネコ等にはより爪がかかりやすい、厄介なネットである事を察知させる事にある。
【考案の効果】
【００１１】  本考案の、ふわふわ保護ネットは、装着、取り外し、収納が簡単である。そして受ける風の抵抗も少なく、軽量である事や、ネットと車の間に取り付けられた布ロープや、布玉等がクッションとなり空間を作る。車本体とネットが風等で擦れたりして、ネットから生じる車への擦り傷を生じさせない、車の塗装に優しいネットである。
公知の「匂い」等を使用した忌避剤の散布に於いては、持続性に問題がある。風向きや雨等の影響で、求める効果は激減するのである。又、持続の効果が失われた事も“ネコのみぞ知る”で傷を付けられて、初めて効果が失せているのが分かるのである。
更には超音波による撃退法も、製作者側がネコの慣れによる持続性を懸念されており、「人間の隙あらば」の構えのネコへの決定打には程遠い状態である。
それらの公知のものに対して、本考案は上述に加えて、何よりも安価であり、費用対効果に優れているのである。使用上の経費はかからない。ナイロン製糸や綿糸紐等、公知の部品を使用するもので軽量である。そして丈夫である。さらに、移動先でも使用できる。軽くコンパクトに納められるので、持ち運びが楽で車に携帯して置けるのである。ネコ等は自分の駐車場、車庫だけに出没するのではないのである。
本考案は、シンプルであるから故障等ない事と合わせて、ネコの武器である爪を封じる事とし、ネコが立ち入り不能、ネコの習性から、寄り付かない。故にネコを迫害する事なく、ネコと共存への原点に立ったものである。
【図面の簡単な説明】
【００１２】
【図１】本考案の、ネコ等の愛車飛び乗り防止ネットの実施例を示す概略説明斜視図である。
【図２】自動車の、ネコ等の飛び乗り傷を防止するふわふわ愛車保護ネットの平面図である。
【図３】図１に於ける正面図である。
【図４】図１に於ける後面図である。
【図５】図１に於ける側面図である。
【考案を実施するための形態】
【００１３】  本考案の実施の一形態は、図１に於ける概略斜視図のとおりである。
本考案は、ネコの車への飛び乗りによる傷防止の保護ネットを装着するものであるから、まず車に装着した保護ネット自体が、風等によって擦れたりして傷等付けてはならないことに考慮したものである。格子状ネットにする事で軽量で風を通しあおられない。耐久性等から、材質は公知のナイロン糸や綿糸や細い組糸（いずれも市販）を利用、或いは応用して格子状の保護ネットを製作するものである。
本考案のいわゆる愛車保護ネットを、愛車の前部、後部に分けて装着する。セダン型の場合は、前部と後部双方に取り付ける。バン型のように、後部が高くなっているデザインは、前部だけに取り付ければ良い。軽自動車も同様である。
図２の保護ネットの大きさは、装着する車の大きさよって異なるが、車にピッタリ締め付け張りではなく、ゆったりとゆとりがあった方が良い。普通車の場合で前部ボンネット上１の保護ネットは、横（車幅分）２．５ｍ〜３ｍ、縦（車の長さ）１．５ｍ〜２ｍ程度で良く、軽自動車で横２ｍ〜２．５ｍで縦１ｍ〜１．５ｍ程度で良い。ボンネット上或いは後部トランク上に被せられた保護ネットは、その端は前面、又は後部面、そして両側面に地面に向けて垂らす事とする。
後部トランク上に装着の場合も前述に準ずるのである。
保護ネットの装着は、運転が終わって車を離れる時にする事が大切である。寒い時はエンジンの余熱がある時が一番狙われる故である。
【実施例】
【００１４】  以下、添付図面に従って、一実施例を説明する。
本考案の実施に於いては、図２の愛車保護ネット１を、図１のセダン型自動車６に装着する場合は、前部ボンネット上８に広げ覆い被せる。保護ネット１に設けられた、ネット固定紐２、２ａでもって、自動車前部ドアノブ１４、１４ａ、又は、ドアミラー１６、１６ａに緩めに結び固定する。
２、２ａの固定紐は、車に優しい布製紐を又は布製ゴム紐を使用し、車の取り付け位置が、ノブ、又はドアミラーかによって、固定紐の位置及び長さは若干変動させる事とする。
装着の際、保護ネットの端は前部７、両側面１２、１２ａから地面に向けて垂れ下げる。１７、１９。【００１５】  後部トランク上１０の保護ネット装着に於いても、保護ネット１を後部トランク上１０に広げ覆い被せる。保護ネットの固定紐２、２ａを自動車の後部ドアノブ左右１５、１５ａに緩めに結び固定する。
装着した際、保護ネットの端は、後部面１１、両側面１３、１３ａから地面に向けて垂れ下げる。１８、２０。【００１６】  保護ネットを外し収納する時は、ネットであるから軽く、ふわふわ創出の布ロープ６が組み込まれている事から、折り畳みやすく、コンパクトに片付ける事ができる。
【符号の説明】
【００１７】  １    保護ネット
２    保護ネット固定紐
２ａ  保護ネット固定紐
３    格子状編糸の一辺
３ａ  格子状網糸のもう一辺（網糸の束組合せ辺）
４    保護ネットの不規則ふわふわロープ
４ａ  保護ネットの不規則ふわふわロープ
５    布玉、スポンジ玉
６    セダン型自動車
７    自動車前面部
８    ボンネット
９    ルーフ（屋根）
１０    トランク上
１１    自動車後部
１２    前部側面
１２ａ  前部側面
１３    後部側面
１３ａ  後部側面
１４    前ドアノブ
１４ａ  前ドアノブ
１５    後ドアノブ
１５ａ  後ドアノブ
１６    ドアミラー
１６ａ  ドアミラー
１７    前面部ネット垂れ部分
１８    後面部ネット垂れ部分
１９    フロント部側面部ネット垂れ部分
２０    後部側面部ネット垂れ部分
【図１】
0003229119.tif 000003
【図２】
0003229119.tif 000004
【図３】
0003229119.tif 000005
【図４】
0003229119.tif 000006
【図５】
0003229119.tif 000007
【手続補正書】
【提出日】令和2年8月5日(2020.8.5)
【手続補正１】
【補正対象書類名】実用新案登録請求の範囲
【補正対象項目名】全文
【補正方法】変更
【補正の内容】
【実用新案登録請求の範囲】
【請求項１】
自動車のボンネットの上や後部トランクの上に格子状に編まれたネットに部分的に折り曲げ、重ね合わせ、絞りを加えることで不規則な膨らみを創出し、ふわふわ感を設けることで構成されていることを特徴とした、ネコの自動車飛び乗り傷を防止するふわふわ愛車保護ネット。
【請求項２】
布製又はそれに類する表面の柔らかいロープを、不規則にネットの下側（車との接触面）に縦、横に数ヶ所に通し、同様に数ヶ所に布玉や、スポンジ玉を取り付けていることを特徴とする請求項１に記載のふわふわ愛車保護ネット。
【請求項３】
自動車に装着固定するための布紐、又は布ゴム部所を設けることを特徴とする請求項１または２に記載のふわふわ愛車保護ネット。